(57)【特許請求の範囲】
【請求項１】
一つの呼出番号を使う複数の遠距離通信網で複数の加入者を接続するための方法であり、遠距離通信網の内の少なくとも一つがＧＳＭ移動無線通信網のような移動性管理機能を備える移動無線通信網であり、少なくとも別の遠距離通信網がデジタル・インテリジェント固定通信網である前記方法であって、
前記加入者データは、前記遠距離通信網の少なくとも一つのホームデータバンク（ＨＤＢ）に記憶され、必要に応じて他の遠距離通信網に利用可能とされ、
前記ホームデータバンク（ＨＤＢ）がホームロケーションレジスター（ＨＬＲ）とインテリジェントネットワークシステム（ＩＮＳ）より成り、
前記ホームロケーションレジスター（ＨＬＲ）と前記インテリジェントネットワークシステム（ＩＮＳ）が相互に連結されておらず、別々の機能を引き受け、両者が前記移動無線通信網の中継局（Ｍ−ＳＳＰ）とも、前記固定通信網の中継局（Ｍ−ＴＶＳｔ）とも、ＭＡＰインターフェース経由で通信することを特徴とする方法。
【請求項２】
前記ホームロケーションレジスター（ＨＬＲ）の加入者プロフィール及び前記移動無線通信網のビジターロケーションレジスター（ＶＬＲ）が、前記固定通信網の既存のサービスを対応付けられるように拡張されることを特徴とする、請求項１に記載の方法。
【請求項３】
前記固定通信網の端末機器と中継局（Ｍ−ＴＶＳｔ）との間における信号発信が、移動性機能（αインターフェース）によって拡張された制御チャネル（Ｄチャネル）経由で実行されることを特徴とする請求項１又は２に記載の方法。
【請求項４】
前記移動無線通信網の前記移動性管理機能が、前記固定通信網に拡張されることを特徴とする請求項１〜３の何れかに記載の方法。
【請求項５】
前記αインターフェースでの相互作用によるＭＡＰ実行が、前記固定通信網の中継局（Ｍ−ＴＶＳｔ）において行われることを特徴とする請求項３に記載の方法。
【請求項６】
前記加入者の前記端末機器が、ホームベースステーション（ＨＢＳ）経由で前記固定通信網に接続されることを特徴とする請求項３〜５の何れかに記載の方法。
【請求項７】
前記加入者の前記端末機器が、コードレスベースステーション（ＤＥＣＴ）経由で前記固定通信網に接続されることを特徴とする請求項３〜６の何れかに記載の方法。
【請求項８】
前記固定通信網経由で予約する際に、ＭＡＰ信号発信を介して加入者の滞在場所をホームデータバンク（ＨＤＢ）に伝達し、そこで登録することを特徴とする請求項１〜７の何れかに記載の方法。
【請求項９】
一つの呼出番号を使う複数の遠距離通信網で複数の加入者を接続するための方法であり、前記遠距離通信網の内の少なくとも一つがＧＳＭ移動無線通信網のような移動性管理機能を備える移動無線通信網であり、少なくとも別の遠距離通信網がデジタル・インテリジェント固定通信網である前記方法であって、
前記加入者データが、遠距離通信網の少なくとも一つのホームデータバンク（ＨＤＢ）で記憶され、必要に応じて他の遠距離通信網を利用可能とされ、そこでは、前記ホームデータバンク（ＨＤＢ）がサービスデータバンク交点（ＳＤＰ）として具体化されており、該サービスデータバンク交点がホームデータバンク機能（ＨＬＦ）とサービス制御機能（ＳＣＦ）のタスクを引き受けることを特徴とする方法。
【請求項１０】
一つの呼出番号を使う複数の遠距離通信網で複数の加入者を接続するためのシステムであり、前記遠距離通信網の内の少なくとも一つがＧＳＭ移動無線通信網のような移動性管理機能を備える移動無線通信網であり、少なくとも別の遠距離通信網がデジタル・インテリジェント固定通信網である前記システムであって、
前記複数の遠距離通信網のために、少なくとも一つのホームデータバンク（ＨＤＢ）がこれらの遠距離通信網の少なくとも一つの中に用意されており、その場合、ホームデータバンク（ＨＤＢ）が二つの分離交点、すなわち移動無線通信網のホームロケーションレジスター（ＨＬＲ）と一つのインテリジェントネットワーク（ＩＮＳ）より成り、
前記ホームロケーションレジスター（ＨＬＲ）と前記インテリジェントネットワークシステム（ＩＮＳ）が相互に連結されておらず、別々の機能を引き受け、両者が前記移動無線通信網の中継局（Ｍ−ＳＳＰ）とも、前記固定通信網の中継局（Ｍ−ＴＶＳｔ）とも、ＭＡＰインターフェース経由で通信することを特徴とするシステム。
【請求項１１】
遠距離通信網の中継局でそれぞれ一つのビジターデータバンク（ＶＤＢ）が配置されており、それらがホームデータバンク（ＨＤＢ）と通信し、加入者データの関連部分で一時管理されることを特徴とする請求項１０に記載のシステム。
【請求項１２】
一つの呼出番号を使う複数の遠距離通信網で（複数の）加入者を接続するためのシステムであり、前記遠距離通信網の内の少なくとも一つがＧＳＭ移動無線通信網のような移動性管理機能を備える移動無線通信網であり、少なくとも別の遠距離通信網がデジタル・インテリジェント固定通信網である前記システムであって、
前記複数の遠距離通信網のために、少なくとも一つのホームデータバンク（ＨＤＢ）がこれらの遠距離通信網の少なくとも一つの中に用意されており、その場合、ホームデータバンク（ＨＤＢ）がサービスデータバンク交点（ＳＤＰ）として具体化されており、この交点の中味がホームデータバンク機能（ＨＬＰ）とサービス制御機能（ＳＣＰ）であることを特徴とするシステム。
【請求項１３】
ＧＳＭ標準規格あるいは−いわゆるデュアルモード端末機器として−ＧＳＭ標準規格とＤＥＣＴ標準規格の双方を支持する移動端末機器を使うことを特徴とする請求項１０〜１２の何れかに記載のシステム。
【発明の詳細な説明】
詳細な説明
本発明は、一つの呼出番号における複数の遠距離通信網で（複数の）加入者を接続するための方法とシステムを対象にするものである。
今日の遠距離通信は一方では線路と結び付く形態の遠距離通信網、いわゆる固定通信網を介して展開され、他方では線路と結び付いていない遠距離通信網、いわゆる移動ネットを介して展開される。
その場合、必要なことは、一人の加入者が、同人がどのネットを経由して電話するかに関係なく、唯一の呼出番号で話せることである。すなわち、現在の遠距離通信網は呼出迂回が可能である。すなわち、例えば移動ネットを経由して連絡できる加入者のための呼出を、予め定められている固定通信網の呼出番号に向けて迂回させることが出来るが、この呼出迂回は唯一の呼出番号による加入者との本当の連絡方法ではない。
加入者が必要ならば何時でも呼出迂回を設定し、不要ならば再びクリアしなければならない点も不利である。更に、呼出迂回のためには毎回、呼出を迂回させようとする実際の呼出番号を入力しなければならない。加入者が自分の居所を変えるか、別の呼出番号に向けて呼出迂回を望む場合、同人をこの呼出番号を毎回設定し直さなければならない。
通信年報（Ａｎｎｕａｌ  Ｒｅｖｉｅｗ  ｏｆ  Ｃｏｍｍｕｎｉｃａｔｉｏｎｓ）、５０巻、１９９７年、９２３〜９３０ページ所載、Ｄ・Ｒ・ジョーンズの論説「ワイヤレス／ワイヤラインを一体化するためのＡＩＮケイパビリティ」では、複数の遠距離通信網で（複数の）加入者を接続するための方法が説明されている。その場合、加入者と通話できる呼出番号が加入者に割り当てられている。その際、遠距離通信網の一つが、移動無線通信網であり、別の遠距離通信網がデジタルインテリジェント固定通信網であると考えられる。ここでは、いわゆるフォローミーサービスが設けられるが、移動性機能の分だけ固定通信網が拡張されるようなことはない。フォローミー機能がネット外部設備によって具体化され、ここで説明した機能は関係通信網における複数呼出番号の間で周知の呼出迂画に対応する。
類似の考え方（Ａｎｓａｔｚ）がＭ・Ｖ・コリパカムらの論説「インテリジェントネットワークを利用する個人通信サービス」〜インテリジェントネットワーク、グローバルネットワーキングへの道、コンピューター通信インテリジェントネットワーク会議のための国際評議員会議事録、タンパ、１９９２年５月４〜６日、３８４〜３９０ページ掲載〜で取り上げられている。ここでも固定通信網の移動無線通信網の移動性管理への一体化が考えられている。
ＥＰ−Ａ−Ｏ  ７３８  ０９３の対象は、加入者が単独の個人呼出番号で通話できる通信システムである。だだし、この場合、以前のネット構造がそのまま残る。すなわち、その都度一つのネット内部で固有の呼出番号を備えている接続通信網ごとに、その都度一個の加入者関係が成立するのである。ここで説明した方法は現在の通信網に対する影響はない。特に統一データバンクに基づく真正移動性管理は実現しない。
本発明の課題は、加入者が自動的に同人のその都度の居所で同人の呼出番号でもって連絡できるようにするために、一つの呼出番号で複数の遠距離通信網にある（複数の）加入者を接続するための方法とシステムを提案することである。
この課題は、独立の特許請求の範囲に記載されている特徴によって解決される。
ここで本発明の長所は、移動ネットにおけるのと同様に、関与固定通信網でも移動性管理が可能である点である。すなわち、加入者は、同人の居所に割り当てられている、その都度の呼出番号の固定通信網経由でも連絡できる。更に、そのことと関連して、常に可能な時には、固定通信網経由で通信が展開され、従って、例えば連結費用を節約し、固定通信網経由通信の全ての長所、例えば高度の通話クオリティーと伝送率を利用できる長所がある。
主要な加入者データはホームデータバンクで管理されている。その場合、最初の具体化形態では、ホームデータバンクがホームロケーションレジスター（ＨＬＲ）とインテリジェントネットシステム（ＩＮＳ）の仕事を引き受けることが想定されている。その場合、ホームロケーションレジスター（ＨＬＲ）とインテリジェントネットシステム（ＩＮＳ）は特別に相互に連結されておらず、別々の機能を引き受け、両者がＭＡＰインターフェース経由で移動無線通信網の中継局及び固定通信網の中継局とも通信する。
通信網を連結可能にするには、ホームロケーションレジスター（ＨＬＲ）の加入者プロフィールと移動無線通信網のビジターロケーションレジスター（ＶＬＲ）を拡張して、既存の固定通信網サービスが形成できるようにしなければならない。更に、移動無線通信網の移動性管理の機能が固定通信網にまで拡張される。遠距離通信網の各中継局に、ホームデータバンク（ＨＤＢ）と通信するビジターデータバンク（ＶＤＢ）それぞれ一つ配置されており、加入者データの関連部分で一時的に管埋される。中継局間における通話の構築と解除及び通信はＩＳＵＰ経由で行われる。
更に、固定通信網の端未機器と中継局との問で移動性機能分だけ拡張された制御チャネル（Ｄ−チャネル）を経由して信号を送る。αインターフェースのための相互作用によるＭＡＰ実行は固定通信網の中継局で行われる。移動性管理を実施する上で重要な点は、固定通信網経由でＭＡＰ信号発信の受付時に加入者の居所がホームデータバンクに伝送され、そこで登録されることである。
移動無線機器は、移動無線通信網経由及び固定通信網経由の通信用端末機器に使える。その場合、加入者の移動無線機器を固定通信網に対する結合は、ホームベースステーション経由あるいはコードレスベースステーション経由で行うことが出来る。使用される移動端末機器は、ＧＳＭ標準規格のみをサポートするか、あるいはいわゆるデュアルモード端末機器、ＧＳＭ標準規格及びＤＥＣＴ標準規格をサポートする。
また、別の具体化形態では、ホームデータバンク（ＨＤＢ）がホームデータバンク機能（ＨＬＦ）との交点及びサービス制御機能（ＳＣＦ）として形成されている。その場合、この交点はサービスデータバンク交点（ＳＤＰ）と呼ばれる。ＨＬＲとＩＮＳを伴う具体化形態とは異なり、サービスデータバンク交点ＳＤＰには、ホームデータバンク機能ＨＬＦとサービス制御機能ＳＣＦによってＨＬＲとＩＮＳの機能がシミュレートされる。
次に、個人通信サービス（ＰＣＳ）を実現するためのアーキテクチュアの例を図面で詳しく解説する。その場合、それらの図面とそこに記載されている説明によって本発明のその他の特徴と長所が明らかにされる。その場合、
図１は、本発明に拠るシステムの概要図である；
図２は、ホームデータバンクとしてのＨＬＲとＩＮＳを使う本発明に拠る第１の具体化形態の図解である；
図３は、呼出が入ってきた時のＨＬＲ照会図である；
図４は、呼出が入ってきた時のＨＬＲとＩＮＳの照会図である；
図５は、ホームデータバンクとしてＳＤＰを使う場合における本発明の別の具体化形態の図解である；
図６は、呼出が入ってきた時のＳＤＰの照会図である；
図７は、ＩＮＳとＨＬＲとの問の連結を伴う本発明３番目の具体化形態の図解である；
図８は、一つの交点における加入者データバンクＨＤＢに対するＩＮＳとＨＬＲの統合図である；
図９は、ＩＮＳを補助する中継局における結合の取扱いを示す；
図１０は、ＩＮＳを直接引き込む際、中継局における結合の取扱いを示す；
図１１は、ネット交点における加入者データの設定と変更の経過図である；
図１２は、一つの交点で加入者データバンクＨＤＢにＩＮＳとＨＬＲを統合する、本発明に拠る第４の具体化形態の図解である；
図１３は、上記の第の４具体化形態の主要パラメーターの一覧である。
図１で示したように、全ての具体化形態にも共通しているのは、どの加入者についても、主な加入者データがホームデータバンクＨＤＢで管理される点である。具体化に応じて、ホームデータバンクＨＤＢは二つの別々の交点、インテリジェントネットシステムＩＮＳと移動無線通信網のホームロケーションレジスターＨＬＲより成る（図２）。
代替具体化形態（図５＞では、ホームデータバンクＨＤＢが一つのサービス制御機能ＳＣＦと一つのホームロケーションレジスター機能ＨＬＦを伴う一つのサービスデータバンク交点ＳＤＰより成ると想定している。加入者のその都度の中間中継局ＴＶＳｔあるいは（Ｖ）ＭＳＣでは、加入者データの関連部分は一時ビジターデータバンクＶＤＢで管理される。移動中継局（Ｖ）ＭＳＣのケースでは、ＶＤＢはＶＬＲに対応している。加入者中継局ＴＶＳｔの場合、（ネツトの視点から見て）端末機器は移動性機能分だけ拡張されたＤチャネル経由で接続される。以下、この拡張はαインターフェースと呼ぶ。移動端末機器は例えばコードレスベースステーションＤＥＣＴ経由で結合される。その場合、端末機器はここでＧＳＭ標準規格も、ＤＥＣＴ標準規格もサポートしなければならない。場合によりＧＳＭ端末機器をホーム固定ステーションＨＢＳ経由でも固定通信網に結合できる。勿論、加入者中継局ＴＶＳｔとＤＥＣＴないしはＨＢＳ間で私設地方局ＰＡＢＸを接続出来る。
結合部がない分離型インテリジエントネットシステムとＨＬＲ
図２で紹介している第一の具体化形態では、ホームデータバンクＨＤＢは一つのインテリジェントネットシステムＩＮＳと一つのホームロケーションレジスターＨＬＲより成る。交点が分離型機能を引き継ぐために、交点結合は不要である。ＨＬＲは移動性管理のための中心点であり、在来型ＩＳＤＮ／ＧＳＭサービスに関する加入者中継局プロフィールを管理する。特殊なサービスについては、ＩＮＳを通じて制御出来る。そのために必要なトリガー点は加入者プロフィールの任意構成要素である。
アーキテクチュアを変換するには、ＴＶＳｔにおけるαインターフェースに対する相互作用によってＭＡＰ実行が必要である。
インテリジェントネットシステムとホームロケーションレジスターＨＬＲ及び移動無線中継局Ｍ−ＳＳＰ並びに固定通信網中継局Ｍ−ＴＶＳｔの間で信号発信データはＭＡＰインターフェース経由で伝達される。中継局間における通話の構築と解除及び通信はＩＳＵＰ経由で行われる。
移動無線通信網ＥＰＬＭＮとＰＬＭＮは、通過中継局Ｇ−ＳＳＰないしはＶＥ：Ｎを使って固定通信網Ｔネットに結合される。
加入（Ｓｕｂｓｋｒｉｐｔｉｏｎ）と加入者に特定のデータ一般サービスデータ
ＨＬＲとＶＤＢ／ＶＬＲにおける加入者プロフィールに関する目的モデルを拡張して、既存のＧＳＭサービスと並行して、既存の全てのＩＳＤＮサービスが形成できるようにしなければならない。可能な限り、既存ＧＳＭオブジェクトをＩＳＤＮサービスにも再利用すべきである。ＧＳＭオブジェクトがＩＳＤＮサービスを形成するには不十分な限りにおいて、既存オビジェクトを拡張して、ＭＡＰにおける私設拡張として転用しなければならない。ＧＳＭオブジェクトモデルにないＩＳＤＮサービスは、ネット特定サービスとして挿入でき、ＭＡＰで転用できる。このためには、補足サービス、テレサービス、ベアラー（支持）サービスのようなカテゴリー向けサービスがその都度１６用意されている。
移動性データ
移動性を伴うサービスには、補足サービス、テレサービス、ベアラーサービスのための上記加入以外に移動性のための加入も必要である。ＰＣＳを形成するために、固定通信網及び移動機能範囲については次のオプションが必要である。両範囲のオプションは任意に組み合わせることが出来る。
固定通信網：
１．制限がない、すなわち、サービスは、移動性のために装備されているＴネットにおける全ての接続部で加入者が利用できる。
２．ＴＶＳｔに制限される場合、すなわち、サービスは、移動性のために装備されている一つあるいは複数のＴＶＳｔの範囲における全ての接続部で加入者が利用できる。
接続部に制限される場合、すなわち、サービスは一つあるいは複数の接続部で加入者が利用できる。
移動無線通信網：
１．制限なし、すなわち、サービスは、Ｔモビルのサービス範囲全体で（Ｄ１ネット、及び全ての漂遊パートナーのネットで）加入者が利用できる。
２．ホームネットのみ、サービスはＤ１ネットでのみ加入者が利用できる。
３．地域限定、すなわち、サービスは、Ｔモビルのサービス範囲の（Ｄ１ネット、及び漂遊パートナーのネットの）明示的に許されている地域でのみ利用できる。
移動無線範囲については、今日既に移動性オプションがＨＬＲとＶＬＲの機能によって実現している。固定通信網範囲については、その都度のオプションを実現させるために原則として次のような二つの代案が考えられる：
１．ＨＬＲには固定通信網範囲の移動性プロフィールが与えられていない。その代わり、ＴＶＳｔでは接続部ごとに無資格ないしは有資格加入者のブラックリストあるいはホワイトリストが管理される。
２．ＨＬＲでは個別接続部あるいは個別ＴＶＳｔの資格が管理され（ブラックリストあるいはホワイトリスト）及び−場合により−ＶＤＢ／ＶＬＲに伝達される。場合により、ＧＳＭ標準規格のために確定されている地域加入解決策をこの応用面に使用あるいは拡張出来る。
代替案２に対応する解決策を優先する。それによってＴＶＳｔにおける管理費を最小限に抑えられ、加入者のためのサービス準備が促進される。
ホーム接続
原則として、二種類の呼出番号がＰＣＳ加入者に代替提供するのが目的である：
１．サービス呼出番号
２．市内通話網による従来の呼出番号（市内通話網呼出番号）
サービス呼出番号を使用する場台、ホーム接続を確定する必要はない。ところがこれとは違い、加入者ごとに一つの市内通話網呼出番号を使う場合、ホーム接続を設定しなければならない。対応するＴＶＳｔでは、市内通話網呼出番号に対して加入者別にその都度のＨＬＲアドレスを管理しなければならない。
ＩＮトリガーとＩＮ加入者データ
ＧＳＭサービスないしはＩＳＤＮサービスの提供以上のサービスは、加入者を任意に加入者に特定ＩＮサービスとして提供できる。これらのサービスを管理するために、例えば、初期検出点（Ｉｎｉｔｉａｌ  Ｄｅｔｅｃｔｉｏｎ  Ｐｏｉｎｔｓ）、サービスキー（Ｓｅｒｖｉｃｅ  ｋｅｙ）、ＳＣＰアドレス（ＩＮトリガー）が必要である。入来呼出（ＰＴＣ、ＰＣＳ着信呼出（ＴｅｒｍｉｎａｔｉｎｇＣａｌｌ））ないしは発出呼出（ＰＯＣ、ＰＣＳ発信呼出（ＯｒｉｇｉｎａｔｉｎｇＣａｌｌ））に関連があるサービスを区別しなければならない；その都度異なるＩＮトリガーが必要である。
ＰＯＣのためのＩＮトリガーはＨＬＲとＶＤＢ／ＶＬＲにおける加入者データの任意構成要素である。この原則は、サービス呼出番号を伴うＰＣＳ加入者の場合、ＰＴＣ・ＩＮトリガーにも必要である。市内通話網呼出番号を伴うＰＣＳ加入者の場合、ＰＴＣ・ＩＮトリガーを用意するために二つの可能性が考えられる：
１．ＰＴＣ・ＩＮトリガーはホーム接続データの任意構成要素であり、対応するＴＶＳｔで加入者特定して（ＨＬＲアドレスに補足）管理される。
２．ＰＴＣ・ＩＮトリガーはＨＬＲとＶＤＢ／ＶＬＲにおける加入者データの任意構成要素である。トリガーはＭＡＰで転用される。
代案２に対応する解決策が優先される。これによってＴＶＳｔにおける管理費が最小限に抑えられ、その結果、加入者のための新たなＩＮサービスの準備が促進され、容易になる。上記のＩＮトリガーに加えて、ＳＣＰで加入者特定ＩＮデータが必要であるが、ここでは、これらの詳細は取り扱わない。
移動性の手順
次に、ＰＣＳの主な手順の流れについて取り上げる。移動無線範囲における手順の詳細は取り上げない。これはＧＳＭ標準規格によって設定されており、標準化以外の他のＧＳＭネットに対する互換性が必要なために不変であるからである。
登録（位置更新（Ｌｏｃａｔｉｏｎ  Ｕｐｄａｔｅ））
登録の目標は、必要な加入者プロフィールデータをＨＬＲからＶＤＢ／ＶＬＲに伝達され、ＨＬＲで現実の滞在情報を準備することである。原則として、αインターフェースを装備している各接続部で登録が可能である。加入者プロフィールによって、加入者固有の制限を実現できる。
登録は、端末機器によって進められる。端末機器は、ＩＭＳＩあるいはＴＭＳＩを伴うネットに対する登録のために必要に応じて同定する。確認するために、ＧＳＭ標準規格で使用された方法が使用される。登録には次の４種類の方法がある：
１．端末機器を新ＶＤＢ／ＶＬＲ範囲における新アクセスで加入：
ＧＳＭ移動化の場合、ＳＩＭで記億されている位置エリア（Ｌｏｃａｔｉｏｎ  Ａｒｅａ）と同報通信チャネル（Ｂｒｏａｄｃａｓｔ  Ｃｈａｎｎｅｌ）から発信される位置エリアとを比較することによって位置更新（Ｌｏｃａｔｉｏｎ  Ｕｐｄａｔｅ）の必然性が認織される。αインターフェースのために同等の機能を開発しなければならない。
このケースでは加入者はＴＶＳｔのＶＤＢ／ＶＬＲに登録されていないために、ＶＤＢ／ＶＬＲはＨＬＲに対する照会を延長する。該当ＨＬＲをＩＭＳＩを使い確認する（ＩＴＵ−Ｔ  Ｅ．２１２準拠ＧＴＴ）。固定通信網における移動性オプションを対象に選択された代案に応じて、（ＶＤＢ／ＶＬＲにおけるプロフィール伝達後の個別接続について）ＴＶＳｔあるいはＨＬＲで求められる登録の許容性を検討する。ＴＶＳｔのＥ．１６４番号をＭＳＣ番号とＶＬＲ番号としてＨＬＲに伝える。登録完了前に、必要な加入者プロフィールがＶＤＢ／ＶＬＲに伝達される。ＶＤＢ／ＶＬＲは加入者の実際接続が記億される。
２．端末機器を旧ＶＤＢ／ＶＬＲ範囲における新アクセスで加入：
１．）項のように、端末機器は新規登録の必要性を認識する。
このケースでは、加入者が既にＶＤＢ／ＶＬＲで登録されているために、ＨＬＲが関与しないで登録が実行される。ＶＤＢ／ＶＬＲでは、代案の選択に応じて固定記億データあるいは動的プロフィールに含まれているデータを使いこの接続のために求められている登録の許容性を検査する。ＶＤＢ／ＶＬＲは加入者の新しい実際の接続を記憶する。
３．ＩＭＳ分離（Detach）後の旧アクセスにおける端末機器の通知：
ＶＤＢ／ＶＬＲでは、ＡＴＴフラッグを付加部（attached）に載せる。
４．端末機器中の周期位置更新タイマー（Ｐｅｒｉｏｄｉｃ  Ｌｏｃａｔｉｏｎ  Ｕｐｄａｔｅ  Ｔｉｍｅｒｓ）の満了後：
ＧＳＭ端末機器で、周期位置更新タイマー満了後、予防的に周期登録が開始される。タイマーのスタート値は同報通信チャネル経由で発信される。ネットと端末機器との間で行われる毎回の通信後に、改めてタイマーがスタートする。この手順はＶＤＢ／ＶＬＲにおける暗黙の分離手順の主要な構成要素である（ＶＤＢ／ＶＬＲ中の加入者特定タイマーが進み終わると、加入者は自動的に切り離され、タイマーはネットと端末機器との間の毎回通信後に改めてスタートする）。更に、データファイルの不安定性を除去する手順が適用される。そのため、αインターフェースについても同等の機能を開発しなければならない。周期的に登録すると、ＶＤＢ／ＶＬＲのデータレベルに応じて、１．）〜３．）項で挙げたアクションが生じる。
登録が果たされた後、加入者の一時割当が行われる。すなわち物理的接続のためのＩＭＳＩの一時割当である。原則として複数の加入者を同時に一つの物理的接続部に割り当てることが出来る。ＰＣＳ発信呼出（Ｏｒｉｇｉｎａｔｉｎｇ  Ｃａｌｌ）（ＰＯＣ）ＰＣＳ発信呼出（ＰＯＣ）は端末機器から対応する要請（セットアップ）を通じαインターフェースを経て発生（導入）される。端末機器はＩＭＳＩあるいはＴＭＳＩを伴うネットに対して同定される。これを確認するために、ＧＳＭ標準規格で使われている方法が利用される。
ＶＤＢ／ＶＬＲでは、要求されている呼出（Ｃａｌｌ）の許容性（テレサービス、ＯＤＢインターロック、インターロック（Ｂａｒｒｉｎｇ）調整など）が検査される。場合により、呼出は対応する理由があれば拒否されるか、ないしはＯＤＢの場合、オペレーターに迂回される。
ＶＤＢ／ＶＬＲにおける検査後、要求されている呼出が構築される。発呼者番号（Ｃａｌｌｉｎｇ  Ｐａｒｔｙ  Ｎｕｍｂｅｒ）として使用されるのは、ＶＤＢ／ＶＬＲで記憶されている呼出人の呼出番号（Ｂａｓｉｃ  ＭＳＩＳＤＮ）（市内通話網呼出番号あるいはサービス番号）。位置番号（ｌｏｃａｔｉｏｎＮｕｍｂｅｒ）は接続に関連して付けられる。
ＶＤＢ／ＶＬＲで、ＩＮ−ＭＯＣトリガー（オプション）が設置されている場合、該当するサービス制御点（Ｓｅｒｖｉｃｅ  Ｃｏｎｔｒｏｌ  Ｐｏｉｎｔ）（ＳＣＰ）でＩＮ対話が開始される。ＳＣＰアドレス（Ｅ．１６４番号）とサービスキーはＩｎトリガーの構成要素である。
ＰＣＳ着信呼出（Ｔｅｒｍｉｎａｔｉｎｇ  Ｃａｌｌ）（ＰＴＣ）
図３で紹介されているようにＰＣＳ着信呼出（ＰＴＣ）の場合、呼出構築のためにＨＬＲに対するＭＡＰ照会（ＶＤＢ／ＶＬＲ中へ延長）が必要である。（一つの）市内通話網呼出番号を伴う加入者の場合、この照会（問合わせ（Ｉｎｔｅｒｒｏｇａｔｉｏｎ））はＴＶＳｔからホーム接続（ゲートウェイ）からスタートする。呼出番号のために記憶されているＨＬＲ番号（Ｅ．１６４番号）を使い該当するＨＬＲが照会される。
（一つの）サービス番号を伴う加入者の場合、任意のＶＳｔあるいはＭＳＣで問い合わせることが出来る（ゲートウエイ）。サービス番号を使い（例えばＮＤＣの後、最初の数字４個を使い）該当するＨＬＲに対する一義的な割当が行われる。
ＨＬＲに対する問合わせによって、利用できるサービスデータが全て伝達される。ＨＬＲでは、要求された呼出（Ｃａｌｌ）の許容性（テレサービスの加入、ＯＤＢインターロック、インターロック（Ｂａｒｒｉｎｇ）の調整など）が検査される。場合により、相応する理由があれば呼出が拒否される。ＨＬＲで検査が行われた後（無条件呼出送り（Ｃａｌｌ  Ｆｏｒｗａｒｄｉｎｇ  ｕｎｃｏｎｄｉｔｉｏｎａｌ）が起動していない限り）、実際のＶＤＢ／ＶＬＲに対する問合わせが継続される。
ＶＤＢ／ＶＬＲは、加入者（ＩＭＳＩ）の付加状況（Ａｔｔａｃｈ−Ｓｔａｔｕｓ）を試験し、ＴＶＳｔ（移動ステーション漂遊番号（Ｍｏｂｉｌ  Ｓｔａｔｉｏｎ  Ｒｏａｍｉｎｇ  Ｎｕｍｂｅｒ）、ＭＳＲＮ）の領域に由来する一時呼出番号あるいは相応の理由（加入者不在（ａｂｓｅｎｔｓｃｒｉｂｅｒ））をもって問合わせに回答する。ＭＳＲＮはＨＬＲからゲートウエイに送られる。加入者不在の場合（起動している限りにおいて）、ＨＬＲで呼出送り不達（Ｃａｌｌ  Ｆｏｒｗａｒｄｉｎｇ  Ｎｏｔ  Ｒｅａｃｈａｂｌｅ）が導入される。
ゲートウエイでは、呼出構築のためのＭＳＲＮが実際のＴＶＳｔに使用される。呼出（Ｃａｌｌ）が実際のＴＶＳｔに達すると直ちに、ＭＳＲＮによって、呼び出された加入者（ＩＭＳＩ）に対する相関関係が生じる。ＶＤＢ／ＶＬＲデータには実際の物理的接続が含まれており、αインターフェースを介して、ＧＳＭページングに類似している手順が導入され、引き抜き呼出構築が終わる。ＩＭＳＩあるいはＴＭＳＩによってネットから端末機器が呼び出される。確認するために、ＧＳＭ標準規格で適用されている方法が利用される。
ＨＬＲで、ＶＤＢ／ＶＬＲトリガー（オプション）が設置されている場合、図４で表示されているように、差し当たりＶＬＲに対する問合わせは継続されない。その代わり、ＩＮトリガーがゲートウエイに戻り、ＩＮＳの該当サービス制御点（ＳＣＰ）に対するＩＮ対話が開始される。ＳＣＰアドレス（Ｅ．１６４番号）とサービスキーはＩｎトリガーの構成要索である。ＩＮ対話終了後（ＩＮ対話によって呼出構築のためにそれ以外のことが不要である限りにおいて）、ＨＬＲ、更にＶＬＲに対して改めて問合わせが開始される。
補足サービス（Ｓｕｐｐｌｅｍｅｎｔａｒｙ  Ｓｅｒｖｉｃｅｓ）の制御
ＩＳＤＮ及びＧＳＭ補足サービスは、端末機器とＨＬＲとの間の機能プロトコルによって制御される。
ＩＮＳにおける付加サービス（ＩＳＤＮないしはＧＳＭ補足サービスに非ず）の制御は未だオープンであるが、例えばＩＮ−ＩＰ経由あるいはインターネット経由で実行できる。
交点におけるＳＣＦとＨＬＦ、固定通信網におけるバリアントＩＮＡＰとＭＡＰ
図５で紹介するアーキテクチュアの場合、ホームデータバンクＨＤＢはサービス機能（Ｓｅｒｖｉｃｅ  Ｃｏｎｔｒｏｌ  Ｆｕｎｃｔｉｏｎ）（ＳＣＰ）とホーム位置機能（Ｈｏｍｅ  Ｌｏｃａｔｏｉｎ  Ｆｕｎｃｔｉｏｎ）（ＨＬＲ）を伴うサービスデータバンク交点ＳＤＰより成る。両機能は、共通データバンクにアクセスする。ＨＬＦは、移動性管理の中心点であり、将来ＩＳＤＮ／ＧＳＭのための加入者プロフィールを管理する。特別のサービスについては、ＳＣＦによる制御が可能である。そのために必要なトリガー点は加入者プロフィールに最適な構成要素である。
アーキテクチュアの変換には、ＴＶＳｔにおけるαインターフェースに対する相互作用によるＭＡＰ実行が必要である。更に、ＨＤＢの新規開発が必要である。ここでも中継局はＭＡＰプロトコルを介して連結される。
データベースにおける加入者プロフィールのためのオブジェクトモデル（ＳＤＰ、サービスデータ点）は、ＧＳＭサービスと並行して、全てのＩＳＤＮサービスが具体化できるように設計しなければならない。出来るだけ、既存のＧＳＭオブジェクトをＩＳＤＮサービスについても継続利用しなければならない。ＩＳＤＮサービスを具体化するには、ＧＳＭオブジェクトが不十分な限りにおいて、既存オブジェクトを拡張し、ＭＡＰにおける専用拡張として転用する。これについては、補足サービス（Ｓｕｐｐｌｅｍｅｎｔａｒｙ  Ｓｅｒｖｉｃｅｓ）、テレサービス（Ｔｅｌｅｓｅｒｖｉｃｅｓ）、ベアラーサービス（Ｂｅａｒｅｒ  Ｓｅｒｖｉｃｅｓ）の各カテゴリーについてそれぞれ１６サービスが利用できる。
移動性データ
各種移動性を伴うサービスでは、補足サービス、テレサービス、ベアラーサービスのための上記加入以外に移動性に関する加入も必要である。ＰＣＳを形成するには、固定通信網範囲及び移動無線範囲のために次のオプションが必要である。両範囲のオプションを任意に組み合わせることが出来る。
固定通信網：
１．制限なし、すなわち、移動性のために装備されているＴネットにおける全ての接続部でこのサービスを加入者が利用できる。
２．，ＴＶＳｔに限定、すなわち、移動性のために装備されている一つあるいは複数のＴＶＳｔの範囲にある全ての接続部で加入者がこのサービスを利用できる。
３．接続に限定、すなわち、一つあるいは複数の接続部で加入者がこのサービスを利用できる。
移動無線通信網：
１．制限なし、すなわち、Ｔモビルのサービス領域全体（Ｄ１ネット及び全ての漂遊パートナーのネット）で加入者はこのサービスを利用できる。
２．ホームネットのみ、すなわち、Ｄ１ネットでのみこのサービスを加入者が利用できる。
３．地域限定、すなわち、Ｔモビルのサービス範囲で明示的に許されている地域でのみ（Ｄ１ネット及び全ての漂遊パートナーのネット）このサービスを加入者が利用できる。
現在既に、移動無線範囲について移動性オプションがＨＬＲとＶＬＲにおける機能によって実現されている．固定通信網範囲について、その都度のオプションを実現するために原則として次の二つの代案が考えられる：
１．ＨＬＲでは、固定通信網範囲のための移動性プロフィールが与えられていない。その代わりに、ＴＶＳｔで接続部ごとに無資格ないしは有資格加入者のブラックリストあるいはホワイトリストが管理される。
２．ＨＬＲでは、個別接続部あるいは個別ＴＶＳｔのための（ブラックリストあるいはホワイトリスト）、場合によりＶＤＢ／ＶＬＲのための資格が転用される。ＧＳＭ標準規格のために定められている地域予約解決策（Ｒｅｇｉｏｎａｌ  Ｓｕｂｓｃｒｉｐｔｉｏｎ  ｓｏｌｕｔｉｏｎ）は、場合によりこの適用面のために利用あるいは拡張できる。
代案２に対応する解決策が優先されるのは、これによってＴＶＳｔにおける管理費が最小限に抑えられ、加入者のためのサービス準備が促進されるためである。
ホーム接続
原則として、ＰＣＳ加入者には２種類の呼出番号のいずれかが提供される：
１．サービス呼出番号
２．市内通話網による在来の呼出番号（市内通話網呼出番号）サービス呼出番号を利用する場合、ホーム接続の確定は不要である。ところがこれとは逆に、加入者ごとに一つの市内通話網呼出番号が使われる場合、一つのホーム接続部を設けなければならない。対応するＴＶＳｔで、加入者を特定し、市内通話網呼出番号についてその都度のＳＣＦアドレスを管埋しなければならない。
ＩＮトリガーとＩＮ加入者データ
ＧＳＭサービスないしはＩＳＤＮサービスを超えるかも知れぬサービスを、加入者に対し加入者特定ＩＮサービスとして任意に提供できる。これらのサービスを管理するには、例えば、初期検知点（Ｉｎｉｔｉａｌ  Ｄｅｔｅｃｔｉｏｎ  Ｐｏｉｎｔｓ）、サービスキー（Ｓｅｒｖｉｃｅ  Ｋｅｙ）、ＳＣＰアドレス（ＩＮトリガー）が必要である。入着呼出（ＰＴＣ、ＰＣＳ着信呼出（Ｔｅｒｍｉｎａｔｉｎｇ  Ｃａｌｌ））ないしは発出呼出（ＰＯＣ、ＰＣＳ発信呼出（Ｏｒｉｇｉｎａｔｉｎｇ  Ｃａｌｌ））に関連があるサービスを区別しなければならない；ただし、一体のＨＤＢアーキテクチュアに制約を受け、必要なものは明示的なＰＯＣ−ＩＮトリガーのみである。
ＰＯＣのためのＩＮトリガーはＨＤＢとＶＤＢ／ＶＬＲにおける加入者データの任意構成要素である。トリガーはＭＡＰで伝達される。
ＰＴＣについては、ＩＮ処理が要求されており、場合により、そこでローカル（ｌｏｋａｌ）実施されるか否か、ＨＤＢで確認できる。
上記のトリガー以外に、データベースの加入者特定ＩＮデータが必要である。詳細については割愛する，
移動性に関する手順
次にＰＣＳの主な重要な手順を説明する。手順では移動無線の領域は取り上げないが、それは、これらがＧＳＭ標準規格で設定されており、標準化以外の他のＧＳＭネットと両立する必要があるため変更されることがないためである。
登録（位置更新（Ｌｏｃａｔｉｏｎ  Ｕｐｄａｔｅ））
登録の目標は、必要な加入者プロフィールデータをＨＤＢからＶＤＢ／ＶＬＲに伝達され、ＨＤＢで現実の滞在情報を準備することである。原則として、αインターフェースを装備している各接続部で登録が可能である。加入者プロフィールによって、加入者固有の制限を実現できる。
登録は、端末機器によって進められる．端末機器は、ＩＭＳＩあるいはＴＭＳＩを伴うネットに対する登録のために必要に応じて同定する。確認するために、ＧＳＭ標準規格で使用された方法が使用される。登録には次の４種類の方法がある：
１．端末機器を新ＶＤＢ／ＶＬＲ範囲における新アクセスで加入：
ＧＳＭ移動化の場合、ＳＩＭで記憶されている位置エリア（Ｌｏｃａｔｉｏｎ  Ａｒｅａ）と同報通信チャネル（Ｂｒｏａｄｃａｓｔ  Ｃｈａｎｎｅｌ）から発信される位置エリアとを比較することによって位置更新（Ｌｏｃａｔｉｏｎ  Ｕｐｄａｔｅ）の必然性が認識される。αインターフェースのために同等の機能を開発しなければならない。
このケースでは加入者はＴＶＳｔのＶＤＢ／ＶＬＲに登録されていないために、ＶＤＢ／ＶＬＲはＨＬＦに対する照会を延長する。該当ＨＤＢをＩＭＳＩを使い確認する（ＩＴＵ−Ｔ  Ｅ．２１２準拠ＧＴＴ）。固定通信網における移動性オプションを対象に選択された代案に応じて、（ＶＤＢ／ＶＬＲにおけるプロフィール伝達後の個別接続について）ＴＶＳｔあるいはＨＤＢで求められる登録の許容性を検討する。ＴＶＳｔのＥ．１６４番号をＭＳＣ番号とＶＬＲ番号としてＨＤＢに伝える。登録完了前に、必要な加入者プロフィールがＶＤＢ／ＶＬＲに伝達される。ＶＤＢ／ＶＬＲは加入者の実際接続が記憶される。
２．端末機器を旧ＶＤＢ／ＶＬＲ範囲における新アクセスで加入：
１．）項のように、端末機器は新規登録の必要性を認識する。
このケースでは、加入者が既にＶＤＢ／ＶＬＲで登録されているために、ＨＤＢが関与しないで登録が実行される。ＶＤＢ／ＶＬＲでは、代案の選択に応じて固定記憶データあるいは動的プロフィールに含まれているデータを使いこの接続のために求められている登録の許容性を検査する。ＶＤＢ／ＶＬＲは加入者の新しい実際の接続を記憶する。
３．ＩＭＳ分離（Ｄｅｔａｃｈ）後の旧アクセスにおける端未機器の通知：
ＶＤＢ／ＶＬＲでは、ＡＴＴフラッグを付加部（ａｔｔａｃｈｅｄ）に載せる，
４．端末機器中の周期位置更新タイマー（Ｐｅｒｉｏｄｉｃ  Ｌｏｃａｔｉｏｎ  Ｕｐｄａｔｅ  Ｔｉｍｅｒｓ）の満了後：
ＧＳＭ端末機器で、周期位置更新タイマー満了後、予防的に周期登録が開始される。タイマーのスタート値は同報通信チャネル経由で発信される。ネットと端末機器との間で行われる毎回の通信後に、改めてタイマーがスタートする。この手順はＶＤＢ／ＶＬＲにおける暗黙の分離手順の主要な構成要素である（ＶＤＢ／ＶＬＲ中の加入者特定タイマーが進み終わると、加入者は自動的に切り離され、タイマーはネットと端末機器との間の毎回通信後に改めてスタートする）。更に、データファイルの不安定性を除去する手順が適用される。そのため、αインターフェースについても同等の機能を開発しなければならない。周期的に登録すると、ＶＤＢ／ＶＬＲのデータレベルに応じて、１．）〜３．）項で挙げたアクションが生じる。
登録が果たされた後、加入者の一時割当が行われる。すなわち物理的接続のためのＩＭＳＩの一時割当である。原則として複数の加入者を同時に一つの物埋的接続部に割り当てることが出来る。ＰＣＳ発信呼出（Ｏｒｉｇｉｎａｔｉｎｇ  Ｃａｌｌ）（ＰＯＣ）
ＰＣＳ発信呼出（ＰＯＣ）は端末機器から対応する要請（セットアップ）を通じαインターフェースを経て発生（導入）される。
端末機器はＩＭＳＩあるいはＴＭＳＩを伴うネットに対して同定される。これを確認するために、ＧＳＭ標準規格で使われている方法が利用される。
ＶＤＢ／ＶＬＲでは、要求されている呼出（Ｃａ１１）の許容性（テレサービス、ＯＤＢインターロック、インターロック（Ｂａｒｒｉｎｇ）調整など）が検査される。場合により、呼出は対応する理由があれば拒否されるか、ないしはＯＤＢの場合、オペレーターに迂回される。
ＶＤＢ／ＶＬＲにおける検査後、要求されている呼出が構築される。発呼者番号（Ｃａｌｌｉｎｇ  Ｐａｒｔｙ  Ｎｕｍｂｅｒ）として使用されるのは、ＶＤＢ／ＶＬＲで記憶されている呼出人の呼出番号（ＢａｓｉｃＭＳＩＳＤＮ）（市内通話網呼出番号あるいはサービス番号）。位置番号（Ｌｏｃａｔｉｏｎ  Ｎｕｍｂｅｒ）は接続に関連して付けられる。
ＶＤＢ／ＶＬＲで、ＩＮ−ＭＯＣトリガー（オプション）が設置されている場合、該当するサービス制御点（Ｓｅｒｖｉｃｅ  Ｃｏｎｔｒｏｌ  Ｐｏｉｎｔ＞（ＳＣＰ）でＩＮ対話が開始される。ＳＣＰアドレス（Ｅ．１６４番号）とサービスキーはＩｎトリガーの構成要素である。
ＰＣＳ着信呼出（Ｔｅｒｍｉｎａｔｉｎｇ  Ｃａｌｌ）（ＰＴＣ）
図６で紹介されているように、ＰＣＳ着信呼出（ＰＴＣ）の場合、呼出構築のためにＨＬＲに対するＩＮＡＰ照会が必要である。このＩＮＡＰ対話は、ＧＳＭで普通に使われている＿ＣインターフェースにおけるＭＡＰ対話の代わりになる。（一つの）市内通話網呼出番号を伴う加入者の場合、この照会（問合わせ（Ｉｎｔｅｒｒｏｇａｔｉｏｎ））はＴＶＳｔからホーム接続（ゲートウェイ）からスタートする。呼出番号のために記憶されているＳＣＦ番号（Ｅ．１６４番号）を使い該当するＨＤＢが照会される。
（一つの）サービス番号を伴う加入者の場合、任意のＶＳｔあるいはＭＳＣで問い合わせることが出来る（ゲートウェイ）。サービス番号を使い（例えばＮＤＣの後、最初の数字４個を使い）該当するＨＤＢに対する一義的な割当が行われる。
ＨＤＢに対する問合わせによって、利用できるサービスデータが全て伝達される。ＨＤＢでは、要求された呼出（Ｃａｌｌ）の許容性（テレサービスの加入、ＯＤＢインターロック、インターロック（Ｂａｒｒｉｎｇ）の調整など）が検査される。場合により、相応する理由があれば呼出が拒否される。
データベースで、ＩＮ−ＭＴＣトリガー（オプション）が設置されている場合、始めはＶＬＲについて問合わせが継続されない。その代わり、ＳＣＰでＩＮ処理がスタートする。ＩＮ対話終了後（ＩＮ対話によって、呼出構築のためにその他の継続作業が不要の限りにおいて）、ＨＬＰで問合わせが継続される。すなわち、実際のＶＤＢ／ＶＬＲに対する問合わせが継続されることになる。
ＶＤＢ／ＶＬＲは、加入者（ＩＭＩＳ）の付加状況（Ａｔｔａｃｈ−Ｓｔａｔｕｓ）を試験し、ＴＶＳｔ（移動ステーション漂遊番号（Ｍｏｂｉｌ  Ｓｔａｔｉｏｎ  Ｒｏａｍｉｎｇ  Ｎｕｍｂｅｒ）、ＭＳＲＮ）の領域に由来する一時呼出番号による問合わせあるいは相応の理由（加入者不在（ａｂｓｅｎｔ  ｓｃｒｉｂｅｒ））がある問合わせに回答する。ＭＳＲＮはＨＤＢからゲートウエイに送られる。加入者不在の場合（起働している限りにおいて）、ＨＤＢで呼出送り不達（Ｃａｌｌ  Ｆｏｒｗａｒｄｉｎｇ  Ｎｏｔ  Ｒｅａｃｈａｂｌｅ）が導入される。
ゲートウエイでは、呼出構築のためのＭＳＲＮが実際のＴＶＳｔに使用される。呼出（Ｃａｌｌ）が実際のＴＶＳｔに連すると直ちに、ＭＳＲＮによって、呼び出された加入者（ＩＭＳＩ）に対する相関関係が生じる。ＶＤＢ／ＶＬＲデータには実際の物埋的接続が含まれており、αインターフェースを介して、ＧＳＭページングに類似している手順が導入され、引き抜き呼出構築が終わる。ＩＭＳＩあるいはＴＭＳＩによってネットから端末機器が呼び出される。確認するために、ＧＳＭ構準規格で適用されている方法が利用される。
補足サービス（Ｓｕｐｐｌｅｍｅｎｔａｒｙ  ｓｅｒｖｉｃｅｓ）の制御
ＩＳＤＮ及びＧＳＭ補足サービスは、端末機器とＨＤＢとの間の機能プロトコルによって制御される。
ＨＤＢにおける付加サービス（ＩＳＤＮないしはＧＳＭ補足サービスに非ず）の制御は未だオープンであるが、例えばＩＮ−ＩＰ経由あるいはインターネット経由で実行できる。
ＨＬＲに連結する分離型インテリジェントネットシステム
図７に拠れば、この構成（コンフィギュレーション）の場合、ホームデータバンク（ＨＤＢ）は一つのインテリジェントネットシステムと一つのＧＳＭ−ＨＬＲより成る。これらは当初、所有権を主張できる（プロプラエタリ）、オープンのインターフェースを経由して連結されている。この形式が採用されたのは、主として次の２点を考慮するためである：
●ここで説明した、結合サービスの技術的基盤を準備するための最初の段階それ自体が、目標構成の方向を目指す一つの展開になっていることが望ましい。目標のイメージは、ＶＤＢ／ＶＬＲコンセプトに基づいており、ケイパビリティセット２と３のインテリジェントネット標準規格のモデルが基礎になっている。
●サービスプロフィール（Ｄｉｅｎｓｔｐｒｏｆｌｅ）の収束そしてＴＶＳｔ、ＨＬＲ及びＳＣＰ／ＳＭＰより成るサービスプロフィール（Ｓｅｒｖｉｃｅ  ｐｒｏｆｉｌｅ）の一体化は製品開発の基本的目標の一つである。ここで説明したモデルの場合、この目標を早く、徹底して変換することが可能である。
ここで紹介した構成では、ＩＮＳがベースネットの中継局に対する通信全体（先ずＴＶＳｔのみ、次の段階で固有ネットのＭＳＣ機能も）を引き受け、サービス管理と移動性管理の中心点として働く。ＨＬＲはＧＳＭインターフェース（ＭＡＰ）に適応する。加入者のデータプロフィールのデータに生じる変更がＨＬＲ経由でＩＮＳに伝達され、そこから応答される。ＧＳＭデータはＩＮＳでイメージ（ａｂｂｉｌｄｅｎ）されている。
構成上、ＩＮＳは固定通信網に置かれており、ＨＬＲは構成の簡素化を目指すために先ず移動無線通信網に置かれている。ＩＮＡＰはネット限度を超えて操作され、ＳＣＰ機能は固定通信網に置かれている。構造段階では、ＩＮＳとＨＬＲないしはＴＶＳｔとＭＳＣを一休化し、ネット構成に小規模な変更を加えることによって収束性固定通信網に発展させることが出来る。図８ではこの基本構造を紹介した。
特殊サービスのために先ず移動無線側でＩＮＳによって制御できるが、ＨＤＢ構造でＰＣＳ−Ｔｉｎデータが完全にイメージされている。移動無線側からＩＮＳを導入するためのトリガー点がＧＳＭ加入者プロフィールの任意構成要素であり、Ｔネットのトリガー点がＴＶＳｔに装備されている。（一つのＥ．１６４番号にその都度、関連トリガー点が含まれている一つの「ホームＴＶＳｔ」が割り当てられている。）アーキテクチュア変換には、所定の機能分だけＩＮＡＰ拡張が必要である。（位置更新と入着連結構築のためのＭＡＰ機能。）
Ｔネットアクセスからの、移動性機能を伴う加入者向けアクセスめためにＩＮＡＰとαインターフェースとの問の相互作用が想定されている。
加入と加入者特定データ
一般サービスデータ
ＰＣＳが提供するものを展開して行く際の主な目標の一つは、サービスプロフィールの収束である。その主眼点は、加入者のサービスプロフィールが、今日のように、相互関連がない３個までのデータバンク（ＴＶＳｔ、ＳＣＰ／ＳＤＰ、ＨＬＲ）ではなく、１個所でまとめられることである。これは一方では、サービスプロフィールのデータの入力と変更であり（例えば呼出継続連結目標、抑圧（ｑｅｓｐｅｒｒｔ）目標など）、他方では、サービス特徴の具体的処理である。最初に挙げたアスペクト、加入者データの保持と変更がＩＮＳに包括できなければならない。
サービス、サービス特徴とＩＮ機能を具体的に実行するには、どこでそれが行われるのか決めなければならない。その際、次のような二つの極端なケースが考えられる：
●ＶＤＢ機能にローディングされるような非常に広範なデータに基づき、具体例についてＩＮ照会をスタートさせることなく−少なくとも大部分が−ＴＶＳｔ／ＭＳＣで連結（接続）を処理出来る。ＩＮから送られるのは、継続呼出処理のためにメッセージとパラメーターに組み込まれる個別情報のみである。このケースでは−「在来の」ＩＮで公知のように−ＩＮＳは「付加制御」の役割を果たしており、本来の呼出制御（Ｃａｌｌ  Ｃｏｎｔｒｏｌ）機能はＴＶＳｔ／ＭＳＣに与えられている。図９ではこの状況を紹介する。その場合、ＴＶＳｔ／ＭＳＣに収録されたデータはそこで記憶され、処理され、継続送信される。ＩＮＳは個別慣報の変更による影響を受ける。
●図１０で紹介した第２のケースでは、ＩＮＳは第１のケースにおけるよりも非常に狭い範囲で連結処理に取り込まれている。メッセージ内容は全てＩＮＳによって蓄積され、転送されるのは、ＩＮＳによって生成し、変更あるいは変更されないメッセージのみである。
ここで紹介した第２のケースは、サービスの処理、サービス特徴、ＩＮ機能がＨＤＢで一体化されているために、目標イメージと良く調和している。
それによって、一方ではサービスとサービス特徴と費用全体との相互作用（インタラクション）を処理出来、他方では加入者にとり追体験が可能な同人のサービス特徴の状況が得られる。
（例：フォワーディング（送り）目標の入力がその都度前もって入力された目標を上書きする。サービス特徴の制御が行われるアクセスは無関係である。従って、加入者にとっては、フォワーディング目標が異なる基盤の上で相互に無関係に存在し得ることを理解しなければならないとは最早考えられないのである。）
目標は、加入者のための統一サービスプロフィールであるため、ＩＮＳにおける加入者プロフィールによって、全ての既存（及び将来）のＩＳＤＮサービスも、ＧＳＭサービスもイメージ出来る。
ネット全体の移動性という目標から見て、加入者のサービスプロフィールを同様に動員することが必要になる。図１１ではこれを紹介した。加入者が（一つの）ＴＶＳｔ範囲にいる場合は常に、任意のＴＶＳｔで移動する加入者のサービスプロフィールを利用できなければならない。
（ＴＭＮに拠る）ネット交点における加入者データの設定と変更に使われるオブジェクトモデルは、可能な限り、既存のインプリメンテーション（ＴＶＳｔとＭＳＣにおけるＱ３インターフェース）から継承される。サービスプロフィールは最初はＩＮＳにある。所定のＴＶＳｔで加入者を登録する場合、そこに向けてプロフィールがローディングされる。（ビジターデータベース、ＴＶＳｔのＶＤＢ機能。）そのために必要なデータ構造は、可能な限り、Ｑ３インターフェースのために決定されたオブジェクトモデルを模範にしなければならない。今ＳＰＳ１標準規格として利用できる「アプリケーション移送機構（ＡＰＭ）」（Ａｐｐｌｉｃａｔｉｏｎ  Ｔｒａｎｓｐｏｒｔ  Ｍｅｃｈａｎｉｓｍ）をＴＣＡＰで移送機構として利用すべきである。この機構はＣＵＳＦ（呼出非関連サービス機能（Ｃａｌｌ  ｕｎｒｅｌａｔｅｄ  Ｓｅｒｖｉｃｅ  Ｆｕｎｃｔｉｏｎ））とＳＣＦとの間の情報移送の基礎でもある。ＴＶＳｔなどにおけるＳＳＦに加えて、ＣＵＳＦ（ＩＮ、ＣＳ２）が、ＴＶＳｔのサービス特徴（機能的、キーパッド、アナログ）を制御するための接続回線プロトコルをＳＣＦに「延長する」ために利用される。
その場合−統一サービスプロフィールに拠り−ＩＳＤＮサービスプロフィールあるいはＧＳＭサービスプロフィールを、場合により、相互に適応させなければならない。その場合、サービスを制御し、アクセスから加入者データを変更するために必要なプロトコルとデータ構造は、大部分、ＩＳＤＮ  ＤチャネルとＧＳＭＭＡＰから継承出来る。考慮できるのが、私設及び公共ネットの収束性展開のみであるため、目標は、将来のＤＳＳ１＋標準規格に対応するオープン・プロトコル構造である。
包括機能プロトコル（Ｇｅｎｅｒｉｃ  Ｆｕｎｃｔｉｏｎａｌ  Ｐｒｏｔｏｃｏｌ）に基づくプロトコルはＴＣＡＰに転送できる。最初の例は、ＳＰＳ５で成立したＶＰＮ標準規格である。ＨＤＢにおける加入者プロフィールのためのオブジェクトモデルをＧＳＭネット構成要索の方向で適応させて、既存のＧＳＭオブジェクトを全て継続利用できるようにしなければならない。特にＭＡＰ経由でＧＳＭ−ＶＬＲにローディングされるデータは変化しないことが望ましい。
移動性データ
移動性を伴うサービスの場合、補足サービス、ペアラーサービス、テレサービスに関する上記加入（Ｓｕｂｓｋｒｉｐｔｉｏｎ）以外に移動性特徴に関する加入も必要である。ＰＣＳが提供するものを等級分類するために、Ｔネット及びＴモビルネットのために以下に説明するオプションが必要である。それらのオプションは任意に相互組み合わせ可能であるものが望ましい。
Ｔネット
●制限なし、すなわち、加入者は、移動性機能が起働しているＴネットにおける全ての接続部で移動性特徴を利用できる。
●ＴＶＳｔ範囲に限定、すなわち、加入者は、移動性機能が起勧しているＴネットにおける一つあるいは複数のＴＶＳｔの接続部の全てで移動性特徴を利用できる。
●（一つの）接続部に限定（基礎接続部に拠る接続、ＰＭＸ技統部）、すなわち、加入者は、移動性機能が起勧されているＴネットで予め規定されている一つあるいは複数の接続部で移動性特徴を利用できる。
●この構想でＩＮ基礎が使われているため、わずかな手間で他のプロフィールを表示できる。
Ｔモビルネット
●制限なし、すなわち、加入者はＴモビルのサービス範囲全体で移動性特徴を利用できる。
●ホームネットの範囲に限定、すなわち、加入者はＤ１ネットでのみ移動性特徴を利用出来る。
●地域限定、すなわち、加入者はＴモビルのサービス範囲で明示的に許可されている地域においてのみ移動性特徴を利用出来る。
各Ｔネット接続都から移動性機能を利用する可能性が与えられたならば直ちに、ＩＮを使い上記の（及び場合によりその他の）移動性オプションをＴネットＨＤＢで非常に簡単に具体化できる。移動無線については、既に上記の移動性オプションがＨＬＲとＶＬＲにおける各種機能によって具体化されている。ここではＩＮの可能性利用への切換を目指すべきであろう。
ホーム接続
原則として以下の２種類の呼出番号のいずれかをＰＣＳ加入者に提供できなければならない。
●サービス呼出番号範囲の呼出番号（０１７１を除く）あるいは
●局番範囲の呼出番号。
サービス呼出番号を使う場合、全ての加入者の各ネット交点（あるいは確認されているその部分量）における同人らのその都度のＩＮ  ＳＣＦ機能に対する割当が判っており、実際に利用可能でなければならない。ＰＣＳに関係なく、サービス呼出番号のための径路指示制御（Ｌｅｉｔｗｅｇｌｅｎｋｕｎｇ）が全てのＶＳｔで実現している。ＯＮＫＺを使う場合、トリガーとＳＣＰの割当データの調整を確認されたＴＶＳｔ（ホームＴＶＳｔ）に限定できる。
ＩＮトリガーとＩＮ加入者データ
ＧＳＭとＩＳＤＮの両範囲に由来し、ＩＮでイメージされている、既存サービスは、ＩＮの可能性に対応する付加サービス分だけ拡張できる。その場合、ＩＮインプリメンテーションで用意されている（発信／着信（ｏｒｉｇｉｎａｔｉｎｇ／ｔｅｒｍｉｎａｔｉｎｇ））検知点（Ｄｅｔｅｃｔｉｏｎ  Ｐｏｉｎｔｓ）を採用できる。入着呼出（ＰＴＣ、ＰＣＳ着信呼出（Ｔｅｒｍｉｎａｔｉｎｑ  Ｃａｌｌ））のシナリオと発出呼出（ＰＯＣ、ＰＣＳ発信呼出（Ｏｒｉｇｉｎａｔｉｎｇ  Ｃａｌｌ））のシナリオとを区別する。その都度、異なるＩＮトリガーが必要である。
ＧＳＭの場合、ＰＣＳ加入者のためのＩＮトリガー検知点は、ＨＤＢにおける加入者データの成分として扱い、ＨＬＲ機能についてはＭＡＰ（サービスキー）経由でその都度のＭＳＣに伝達する。ＩＳＤＮ  Ｔネット構造で連結を処理する場合、原則として次の二つの方法が考えられる：
●検知点をデータとしてＨＤＢに保持し、入着連結を構築する際にＴＶＳｔに渡す。その前提条件は、各連結のために（非ＰＣＳ連結についても）ＩＮ照会が行われることである。発出連結を構築するには、トリガー表をＶＤＢにローディングしなければならない。
●従って入着連結のために対応するトリガーが装備されている「ホーム」ＴＶＳｔの構想は掛かる手間が少ない方法と考えられる。最初のケースの場合と同様、発出連結のためのトリガー点の装備はその都度実際の（到着先（Ｖｉｓｉｔｅｄ）ＴＶＳｔで行われ、加入者プロフィールがローディングされる（上記を参照）。
移動性に関する手順
次に、ＰＣＳにとり最も重要な手順の進行について説明する。移動無線範囲の手順は割愛する。それについてはＧＳＭ標準規格で定められており、標準化以外で他のＧＳＭネットと両立させる必要があるために変更出来ないためである。
登録（位置更新）
登録目標は、加入者プロフィールの必要データをＨＤＢからＶＤＢ／ＶＬＲに伝達し、ＨＤＢで実際の滞在情報を準備することである。原則として、αインターフェースを装備している各接続部で登録が可能である。加入者プロフィールによって、加入者個別の制限が実現される。
端末機器によって登録が導入される。端末機器は登録の必要に応じてＩＭＳＩあるいはＴＭＳＩを伴うネットに対して同定される。確認には、ＧＳＭ標準規格で利用される方法が使われる。
登録実行後、加入者、すなわちＩＭＳＩの物理的接続部に対して一時的に割り当てられる。
登録は次の４種類である：
新ＶＤＢ／ＶＬＲの範囲における新アクセスでの端未機器予約
ＧＳＭモビルステーションの場合、ＳＩＭで記憶されているロケーションエリアを同報通信チャネルから発信されるロケーションエリアと比較することによって位置更新の必要性が認識される。ＳＩＭは固定通信網内でも使うべきであるため、Ｔネットを適用するためにロケーションエリア構想の開発を進めなければならない。その場合、ＧＳＭ手順と両立させなければならない。それというのは、両方の手順が並行して使われるのではなく、一緒に使用されるためである。従って、ＳＩＭで記憶されたＧＳＭロケーションエリアを了解し、固定通信網から、ＧＳＭ構成要素中に非両立状態を生じさせないロケーションエリアをＳＩＭに記憶しなければならない。αインターフェースが、対応する機能を支援しなければならない。
位置更新は、ＴＶＳｔのＶＤＢ／ＶＬＲからＩＮＳ／ＨＬＲに向けて延長される。正しいＩＮＳがＩＭＳＩを使って確認される。要求されている登録の許容性はＩＮＳ／ＨＬＲで検査される。ＩＮＳに対して、Ｅ．１６４番号のフォーマットでＴＶＳｔ／ＶＤＢ識別コードあるいはＥ．１６４フォーマットでＭＳＣ番号とＶＬＲ番号が送られる。登録終了前に、必要な加入者プロフィールがＶＤＢ／ＶＬＲに送られる（上記を参照）。ＶＤＢ／ＶＬＲが加入者の実際の接続を記憶する。
旧ＶＤＢ／ＶＬＲ範囲における新アクセスでの端末機器予約先に説明したように、端末機器によって新たな登録の必要性が認識される。次に、上記のように位置更新をＴＶＳｔのＶＤＢ／ＶＬＲからＩＮＳ／ＨＬＲに延長する。
ＩＭＳＩ分離後の旧アクセスにおける端末機器のログオン（Ａｎｍｅｌｄｅｎ：届出）：
ＶＤＢ／ＶＬＲでは、ＡＴＴフラグが付加（ａｔｔａｃｈｅｄ）に設定される。
端末機器で周期的位置更新タイマー（Ｐｅｒｉｏｄｉｃ  ｌｏｃａｔｉｏｎ  Ｕｐｄａｔｅ  Ｔｉｍｅｒｓ）満了後ＰＣＳ端末機器では、周期的位置更新タイマー満了後、予防的に周期的登録が開始される。ＶＤＢ／ＶＬＲで加入者特定タイマーが満了すると、加入者はこの場所で自動的にログオフ（分離（ｄｅｔａｃｈ））される。タイマーのスタート値が、端末装置とＶＤＢとの間の通信という枠内でαインターフェース経由で決定される。ネットと端末機器との間の通信が終わるごとに改めてタイマーがスタートする。上記の手順に対応して、周期的位置更新手順が進行する。
この手順は、ＶＤＢ／ＶＬＲの暗示的分離手順の重要な構成要素である。更に、データファイルの不安定性を除去するための手順が使われる。そのために、αインターフェースも基礎にして周期的位置更新手順を開発しなければならない。
ＰＣＳ発信呼出（ＰＯＣ）
端末機器が０チャネルでセットアップメッセージを発出することによって、ＰＣＳ発信呼出（ＰＯＣ）が導入される。端末機器が、ＩＮＳＩあるいはＴＭＳＩを伴うネットに対して同定される。確認するために、ＧＳＭ標準規格で使われている方法が利用される。
ＶＤＢ／ＶＬＲでは、希望されている連結の許容性が検査される。（サービスのための資格、サービス特徴、インターロック、インターロック（Ｂａｒｒｉｎｇ）調整など）場合により、相応する理由があれば連結希望が拒否されるか、オペレーターを迂回することになる。ＶＤＢ／ＶＬＲにおける検査が終わると、連結が構築され、場合により、予め装備されたＴＤＰが処理されることがある。ＳＣＰによって、他の発呼者番号が設定されない限り、ＶＤＢ／ＶＬＲに記憶されている呼出者の呼出番号（ベーシックＭＳＩＳＤＮ）（市内通話網呼出番号あるいはサービス番号）が発呼者番号として採用される。接続に関連して位置番号が付加される。ＳＣＰアドレスとサービスキーはＩＮトリガー表の構成要素である。
ＰＣＳ着信呼出（ＰＴＣ）
局番のフォーマットによる呼出番号に対するＰＣＳ着信呼出（ＰＴＣ）の場合、ＰＣＳ加入者のホームＴＶＳｔには原則として一つのＴＤＰが装備されている。このＴＤＰによってＨＤＢで照会することになる。サービス呼出番号に対する連結が入着すると、同様にＩＮＳ照会が開始される。トリガー表に記憶されているＩＮＳアドレス（Ｅ．１６４番号フォーマット）を使い、該当のＩＮＳが照会される。
サービス番号が一つの加入者の場合、（始めは）固有ネット（のみの）の任意のネット交点でＩＮ照会が可能である。サービス番号を使い核当ＩＮＳに対して一義的な割当が可能でなければならない。
ＩＮ照会によって、利用出来る全てのサービスデータがＴＶＳｔからＩＮＳに伝達される。局番のフォーマットによる呼出番号の場合、加入者（ＩＭＳＩ）の付加状況がＩＤＰでＳＣＰに伝えられる。ＳＣＰでは、要求されている連結の許容性が検査される。場合により、相応する理由があれば連結が拒否される。ＳＣＰでの検査が実行された後、使われる呼出番号構造に対応し、
●ＳＣＰが受けた制御情報によって連結が継続処理される（局番フォーマットによる呼出番号）あるいは
●サービス呼出番号の場合（ネットにおける任意の交点から照会）、先ず加入者（ＩＭＳＩ）の付加状況を、ＳＣＰがＶＤＢ／ＶＬＲで検査する。ＶＤＢ／ＶＬＲが、ＴＶＳｔ範囲に由来する一時的呼出番号（移動ステーション漂遊番号、ＭＳＲＮ）あるいは相応する理由（加入者不在）をもってＳＣＰに回答する。ＭＳＲＮは、問合わせを出しているネット交点に転送される。このネット交点で、実際のＴＶＳｔて呼出を構築するためにＭＳＲＮが使われる（あるいはＳＣＰが受けた制御情報によって連結が継結処理される）。連結が実際のＴＶＳｔに達すると直ちに、ＭＳＲＮを使い被呼加入者（ＩＭＳＩ）に対して相関関係が生じる。ＶＤＢ／ＶＬＲデータには、実際の物理的接続部が含まれている。この接続部で連結が構築される。対応するＩＭＳＩあるいはＴＭＳＩによってネットから端末機器が呼び出される。端末機器のページングは直接Ｔネットから制御される。ＧＳＭ標準規格で使われている方法が確認に利用される。
サービス特徴の制御
ＩＳＤＮ及びＧＳＭ補足サービスの制御については、最初の具体化形態を一般サービスデータで参照。
ＰＣＳボックスへのアクセス
新メッセージのファイル
メッセージがＳＣＰを通じて制御され、ＰＣＳボックスに向けてガイドされる。
ＰＣＳボックスによる通知
通知は、ＳＭＳ経由で、ＧＳＭ端末機器に対して実行され、ＥＳＴＩ標準規格に対応するメッセージ待ち指示はＩＳＤＮ  ＥＧに対して実行される。
ＰＣＳボックスの照会
ＴネットとモビルネットからＳＩＭ経由で確認される可能性を利用しながらＰＣＳボックスが照会され、ＰＩＮは使用されなくなる。
ナンバリングとルーティング
ＧＳＭの数パラメーターがＴネットでも利用される。ここで使われている数の場合、加入者関連パラメータ（ＩＭＳＩ、ＭＳＩＳＤＮ、ＭＳＲＮ、アクセスＩＤ、ＭＳＮ）及びネット交点関連パラメーターに分けられる。（Ｅ．１６４フォーマットのＨＤＢ（ＳＣＰ／ＨＬＲ）アドレス、Ｅ．１６４フォーマットのＶＤＢアドレス、Ｅ．１６４フォーマットのＴＶＳｔアドレス。）
接続プロトコルとネットプロトコルとの間の相互作用
上記で説明した通り。
決算データの準備
決算データは、ネットアドレスではなく、ＩＤに割当なければならない。
一つの交点のＳＣＦとＨＬＦ、固定通信網のＩＮＡＰバリアント
本発明の第４具体化形態の場合、ＨＤＢはサービス制御機能（ＳＣＦ）とホーム位置機能（ＨＬＦ）を伴う交点より成る。これは図１２で表示した。ＳＣＦは、ベースネットの中継局で通信全てを引き受け（最初はＴＶＳｔのみ、次の段階では固有ネットのＭＳＣ機能も）、移動性管理の中心点として働く。ＨＬＦは、ＧＳＭインターフェース（ＭＡＰ）への適応を引き継ぐ。両方の機能によって共通データバンクにアクセスされる。この構成には、ＨＤＢを新たに開発しなければならない。
図７の構想との主な相違点は、ＨＤＢが（一つの）ネット交点に包括されていることである。従って、所有権を主張できるインターフェースを経由するＩＮＳとＨＬＲとの間の通信は省略される。時問限界過程が、定められた応答時間内に終了していなければならない場合、この点が特に重要である。これらのケースが生じるのは、特にＧＳＭネットに対してＨＬＲの手順に応答する際である。ＩＮＳは常に加入者の実際データを保持しなければならないために、そこからだけ（ＨＬＲ経由で）ＧＳＭネットに対して応答出来る。この様な簡略化を進めるためには、ここで説明した解決策を出来るだけ速やかに実現しなければならない。
主な経過と周縁条件が、これまでに説明した機能に対応するものであるため、重複は避けたい。ＩＮＳ／ＨＬＲはその都度ＨＤＢで代用される。
具体化代案一覧
図１３は、上記で説明した全ての具体化代案の一覧である。
使用略語・概念リスト
略語／英語
ＡＰＭ／アプリケーション移送機構
ＡＴＴ／「アクティブ」（フラグ状況）
ＣＵＳＦ／呼出非関連サービス機能
Ｄ１／Ｄｌネット
ＤＥＣＴ／デジタル・エンハンスド（ヨーロッパ）コードレス遠距離通信
Ｄチャネル／テジタル信号チャネル（ＩＳＤＮ）
ＤＳＳ／デジタル加入者信号発信
ＥＧ／端末機器
ＦＮ／固定通信網
ＦＰＬＭＭ／将来の公共移動無線通信網
Ｇ−／ゲートウエイ
ＧＭＳＣ／センター
ＨＢＳ／ホームベースステーション
ＨＤＢ／ホームデータベース
ＨＬＦ／ホーム位置機能
ＨＬＲ／ホーム位置レジスター
ＩＡＭ／初期アドレスメッセージ
ＩＤ／同定
ＩＤＰ／初期検知点
ＩＭＳＩ／国際移動加入者識別
ＩＮ／インテリジェントネットワーク
ＩＮＡＰ／インテリジェント適用プロトコル
ＩＮＳ／インテリジェントネットワークシステム
ＩＰ／インターネットプロトコル
ＩＳＤＮ／総合サービスデジタルネットワーク
ＩＳＵＰ／ＩＳＤＮユーザー部
Ｍ−／移動
ＭＡＰ／移動通用部
ＭＯＣ／移動発信呼出
ＭＳＣ／移動中継センター
ＭＳＩＳＤＮ／移動ステーションＩＳＤＮ番号
ＭＳＮ／多量加入者番号
ＭＳＲＮ／移動ステーション漂遊番号
ＭＴＣ／移動終端呼出
ＮＤＣ／国内宛先コード
ＮＭＣ／ネットワーク管理センター
ＯＤＢ／オペレーター限定インターロック
ＯＮＸＺ／国内宛先番号
ＰＡＢＸ／私設自動分岐交換装置
ＰＣＳ／個人通信サービス
ＰＬＭＮ／公共地上移動通信網ワーク
ＰＯＣ／ＰＣＳ発信呼出
ＰＴＣ／ＰＣＳ着信呼出
ＳＣＦ／サービス制御機能
ＳＣＰ／サービス制御点
ＳＤＦ／サービスデータ機能
ＳＤＰ／サービスデータバンク交点
ＳＩＭ／加入者同定モジュール
ＳＭＰ／サービス管理コンピューター交点
ＳＭＳ／ショートメッセージサービス
ＳＲＩ／ルーティング情報送信
ＳＳ／インターフェース
ＳＳＦ／サービス切換機能
ＳＳＰ／サービス切換点
Ｔ−／一時
ＴＣＡＰ／トランザクションケイパビリティ適用部
ＴＭＳＩ／移動加入者の一時同定
ＴＶＳｔ／加入者中継局
Ｖ−／ビジター
ＶＤＢ／ビジターデータベース
ＶＥ：Ｎ／ネット移行中継設備
ＶＬＲ／ビジターロケーションレジスター
ＶＭＳＣ／訪問（ビジテッド）ＭＳＣ
ＶＳｔ／中継局
ＺＺＮ／信号発信相互連絡ネットワーク
【図１】
0003947851.tif 000002
【図２】
0003947851.tif 000003
【図３】
0003947851.tif 000004
【図４】
0003947851.tif 000005
【図５】
0003947851.tif 000006
【図６】
0003947851.tif 000007
【図７】
0003947851.tif 000008
【図８】
0003947851.tif 000009
【図９】
0003947851.tif 000010
【図１０】
0003947851.tif 000011
【図１１】
0003947851.tif 000012
【図１２】
0003947851.tif 000013
【図１３】
0003947851.tif 000014